(57)【要約】本発明は、本体の上部側にその内径が５〜８ｍｍである大径部が形成されており、前記大径部から本体の下端部までその内径が１．５〜２ｍｍである小径部が形成されており、前記本体の外周面の一側に垂直に幅が１〜２ｍｍである針出口が形成されている針管に関する。本発明によれば、視力の悪い人も針を針管に容易に挿入することができ、特に施針者が針柄を取って針を針管に容易に挿入することができるので、衛生的に施針することができる。実際に、施針前後で針柄を取って針を針管に挿入するか、または針管を持ち上げずに針出口を通じて施針された針から針管を分離するので、従来に施針前後で針刃を取って針を針管に挿入するか、または針管を持ち上げる途中で針と針管とが汚染されて施針部位に炎症が誘発されるという短所を解消することができる。【選択図】図３
2009502414.tif 000002
【特許請求の範囲】
【請求項１】
本体の上部側に大径部が形成されており、
前記大径部から本体の下端部まで小径部が形成されており、
前記本体の外周面の一側に垂直に針出口が形成されていることを特徴とする針管。
【請求項２】
前記大径部の内周面は、ラッパ状であることを特徴とする請求項１に記載の針管。
【請求項３】
前記大径部は、その内径が５〜８ｍｍであることを特徴とする請求項１に記載の針管。
【請求項４】
前記小径部は、その内径が１．５〜２ｍｍであることを特徴とする請求項１に記載の針管。
【請求項５】
前記針出口は、その幅が１〜２ｍｍであることを特徴とする請求項１に記載の針管。
【発明の詳細な説明】
【技術分野】
【０００１】
本発明は、針管に係り、特に針を挿入して鍼術に使用する鍼灸用針管に関する。
【背景技術】
【０００２】
一般的に漢方で使用する針は、その疾病によってざん針、員針、てい針、鋒針、ひ針、員利針、毫針、長針、大針のように９種に分類される。
【０００３】
特に、前記毫針は、経絡を調節し、関節炎を治療するのに適した針であって、漢方医師ではない一般人が家庭用あるいは携帯用に多く使用する針であり、金糸や銀糸が巻き取られている針柄と、前記針柄に連結され、蚊やアブの口輪のように鋭い針端を有する針刃とに区分される。
【０００４】
また、前記毫針を使用する一般人は、針術に比較的熟練しない場合がほとんどであるので、最初に針を打つか、または針を打つ時に痛みを減らすために主に針管を使用する。
【０００５】
図１及び図２に示すように、従来の針管１０は円筒形であり、施針者が針管１０に毫針２０を挿入して施針部位上に針管１０を置いた後、前記毫針２０の針柄の端を人差し指のつめで軽く打てば、針刃の一部が施針部位に一定な深さで入り、以後、施針者は、図２の点線で示したように前記針管１０を持ち上げることによって施針を完了する。
【０００６】
しかし、前記のような従来の針管１０は、その内径が約１．５〜２ｍｍに小さいため、視力の悪い人が前記毫針２０の針端を針管１０に挿入しがたいという短所があり、特に多数の施針者が毫針２０の針刃を素手で取って針刃を前記針管１０に挿入するために非衛生的である。
【０００７】
実際に、施針前後に針刃を素手で取れば、毫針２０が汚染され、前記毫針２０と針管１０とを分離するために針管１０を持ち上げる途中で毫針２０が針管１０に衝突すれば、毫針２０と針管１０とがいずれも汚染されるので、施針部位に炎症が誘発されるという短所がある。
【０００８】
したがって、免疫力が低下した患者や癌のような重症患者または健康な人も、関節腔内や血管内には炎症誘発の問題のために使用するのに問題点が多い。
【発明の開示】
【発明が解決しようとする課題】
【０００９】
本発明の目的は、前記した従来の問題点を解決するためのものであって、本体の上部側に大径部が形成されており、前記大径部から本体の下端部まで小径部が形成されており、前記本体の外周面の一側に垂直に針出口が形成されている針管を提供するところにある。
【課題を解決するための手段】
【００１０】
前記目的を達成するために、本発明による針管の望ましい実施形態は、本体の上部側にその内径が５〜８ｍｍである大径部が形成されており、前記大径部から本体の下端部までその内径が１．５〜２ｍｍである小径部が形成されており、前記本体の外周面の一側に垂直に幅が１〜２ｍｍである針出口が形成されていることを特徴とする。
【発明の効果】
【００１１】
本発明による針管は、本体の上部側にその内径が５〜８ｍｍである大径部が形成されており、前記大径部から本体の下端部までその内径が１．５〜２ｍｍである小径部が形成されており、前記本体の外周面の一側に垂直に幅が１〜２ｍｍである針出口が形成されているため、視力の悪い人も針を針管に容易に挿入することができ、特に施針者が針柄を取って針を針管に容易に挿入することができるので、衛生的に施針することができる。
【００１２】
実際に、施針前後に針柄を取って針を針管に挿入するか、または針管を持ち上げずに針出口を通じて施針された針から針管を分離するので、従来に施針前後に針刃を取って針を針管に挿入するか、または針管を持ち上げる途中で針と針管とが汚染されて施針部位に炎症が誘発されるという短所を解消することができる。
【発明を実施するための最良の形態】
【００１３】
以下、本発明の望ましい実施形態を、添付した図面を参照してより詳細に説明する。
【００１４】
図３に示すように、針管３０は、本体の上部側にその内径が５〜８ｍｍである大径部３１が形成されている。
【００１５】
前記大径部３１の内周面は、ラッパ状であることが望ましい。
【００１６】
前記針管３０は、前記大径部３１から本体の下端部までその内径が１．５〜２ｍｍである一字形の小径部３２が形成されている。
【００１７】
前記針管３０は、前記本体の外周面の一側に垂直に幅が１〜２ｍｍである針出口３３が形成されている。
【００１８】
前記のように構成される本発明による針管３０は、次のように使われる。
【００１９】
図４に示すように、前記針管３０の大径部３１は、図１に示した毫針２０のような従来の針の直径に比べて相対的に大きい内径を有するので、施針者が針の針柄を取って前記大径部３１に針を挿入して施針部位上に前記針管３０を置いた後、前記針の針柄の端を人差し指のつめで軽く打てば、針刃の一部が施針部位に一定な深さで入る。
【００２０】
このとき、前記毫針２０のような一般の針は、その長さが多様（約５〜８ｃｍ）であるので、前記針管３０の長さは、一般の針の長さの約２／３〜４／５に設定することが望ましく、前記大径部３１の下端部から小径部３２の終端部までは約３〜５ｃｍとなり、前記毫針２０は、施針部位に約０．４〜０．５ｍｍの深さで入る。
【００２１】
次いで、施針者は、図１の点線で示したように前記針管３０を持ち上げて針から針管３０を分離することができるが、本発明によれば、施針後に前記針管３０を持ち上げるの代わりに、図４に示したように前記針出口３３を通じて施針された針から針管３０を分離することが望ましい。これにより、従来に施針後に針管１０を持ち上げる途中で針管１０が毫針２０に衝突すれば、施針部位に痛みが誘発されるという短所を解消することができる。
【００２２】
図５は、前記毫針２０のように針柄が一字形である一般の針の代わりに、注射用針２０ａを施針するとき、本発明による針管３０を使用する実施形態を示している。
【００２３】
前記注射用針２０ａは、針柄部分の内周面が前記針管３０の大径部３１と類似したラッパ状となっており、その外径部には、前記大径部３１の上端にかかる係止部が形成されている。
【００２４】
図５に示すように、施針者が注射用針２０ａの針柄部分を取って前記大径部３１に針を挿入して施針部位上に前記針管３０を置いた後、前記針柄部分を親指と人差し指とで取って押すか、または人差し指のつめで軽く打てば、前記針刃の一部が施針部位に一定な深さで入る。
【００２５】
このとき、前記注射用針２０ａの針柄の外径部の係止部が前記針管３０の大径部３１の上面にかかる。
【００２６】
次いで、施針者は、図５に示したように前記針出口３３を通じて施針された注射用針２０ａの針刃から針管３０を分離する。
【００２７】
前述したことは、本発明による針管を実施するための一実施形態に過ぎないものであって、本発明は、前記した実施形態に限定されず、特許請求の範囲で請求する本発明の要旨を逸脱せず、当業者ならば誰でも多様な変更実施が可能な範囲まで本発明の技術的精神があるであろう。
【図面の簡単な説明】
【００２８】
【図１】従来の針管を示す斜視図である。
【図２】従来の針管の使用状態を示す断面図である。
【図３】本発明による針管を示す斜視図である。
【図４】本発明による針管の使用状態の実施形態を示す図面である。
【図５】本発明による針管の使用状態の他の実施形態を示す図面である。
【図１】
2009502414.tif 000003
【図２】
2009502414.tif 000004
【図３】
2009502414.tif 000005
【図４】
2009502414.tif 000006
【図５】
2009502414.tif 000007
【国際調査報告】
2009502414.tif 000008
2009502414.tif 000009